(57)【特許請求の範囲】
【請求項１】
ユーザがユーザ端末を用いて通信ネットワークを介してアクセスし、商品を仮想ショッピングカートの記憶領域に記憶させながら商品を購入可能なサイトを提供する商品販売システムであって、
前記商品販売システムは、
購入可能な商品を表示する商品情報画面を前記ユーザ端末に送信する商品情報画面送信部と、
前記仮想ショッピングカートの記憶領域に記憶された商品の合計金額を表示する合計金額確認画面を生成して前記ユーザ端末に送信する合計金額確認画面生成部と、
前記ユーザの特性情報を記憶するユーザ情報記憶部と、
割引額と割引を受けるために必要な内容が表示されるアフィリエイトコンテンツを記憶するコンテンツ記憶部と、
前記アフィリエイトコンテンツに入力された情報が虚偽の情報であるかを判定する虚偽情報判定部と、を備えた商品販売サーバを有しており、
前記合計金額確認画面生成部は、
前記ユーザの特性情報と、前記仮想ショッピングカートに記憶されている商品または商品のカテゴリーと、に対応するアフィリエイトコンテンツを前記コンテンツ記憶部から抽出し、
前記仮想ショッピングカートの記憶領域に記憶された商品の合計金額と前記抽出したアフィリエイトコンテンツとを表示する合計金額確認画面を生成して前記ユーザ端末に送信し、
前記表示したアフィリエイトコンテンツのうち、前記ユーザにより指定されたアフィリエイトコンテンツに対応する前記ユーザの属性情報の入力の操作が前記ユーザ端末から行われると、前記指定されたアフィリエイトコンテンツの割引額を前記合計金額から減算し、前記減算後の合計金額確認画面を生成して前記ユーザ端末に送信する合計金額確認画面生成処理を行うと共に、商品の注文者情報又は配送先情報の入力を受け付け可能になっており、
前記虚偽情報判定部は、前記入力されたアフィリエイトコンテンツに対する前記ユーザの属性情報と、前記商品の注文者情報または配達先の情報とを比較し、一致していない場合に、虚偽の情報の入力がされたと判定する、
ことを特徴とする商品販売システム。
【請求項２】
ユーザがユーザ端末を用いて通信ネットワークを介してアクセスし、商品を仮想ショッピングカートの記憶領域に記憶させながら商品を購入可能なサイトを提供する商品販売システムであって、
前記商品販売システムは、
購入可能な商品を表示する商品情報画面を前記ユーザ端末に送信する商品情報画面送信部と、
前記仮想ショッピングカートの記憶領域に記憶された商品の合計金額を表示する合計金額確認画面を生成して前記ユーザ端末に送信する合計金額確認画面生成部と、
前記ユーザの特性情報を記憶するユーザ情報記憶部と、
割引額と割引を受けるために必要な内容が表示されるアフィリエイトコンテンツを記憶するコンテンツ記憶部と、
前記アフィリエイトコンテンツに入力された情報が虚偽の情報であるかを判定する虚偽情報判定部と、を備えた商品販売サーバを有しており、
前記合計金額確認画面生成部は、
前記ユーザの特性情報と、前記仮想ショッピングカートに記憶されている商品または商品のカテゴリーと、に対応するアフィリエイトコンテンツを前記コンテンツ記憶部から抽出し、
前記仮想ショッピングカートの記憶領域に記憶された商品の合計金額と前記抽出したアフィリエイトコンテンツとを表示する合計金額確認画面を生成して前記ユーザ端末に送信し、
前記表示したアフィリエイトコンテンツのうち、前記ユーザにより指定されたアフィリエイトコンテンツに対応する前記ユーザの属性情報の入力の操作が前記ユーザ端末から行われると、前記指定されたアフィリエイトコンテンツの割引額を前記合計金額から減算し、前記減算後の合計金額確認画面を生成して前記ユーザ端末に送信する合計金額確認画面生成処理を行うようになっており、
前記合計金額確認画面には、前記商品の注文者情報又は配送先情報の入力を受け付ける入力欄が設けられ、該入力欄には前記アフィリエイトコンテンツに対して入力されたユーザの属性情報が反映され表示されるようになっており、
前記虚偽情報判定部は、前記入力欄に表示された前記ユーザの属性情報に対する変更処理の有無を監視し、前記変更処理が行われた場合に、虚偽の情報の入力がされたと判定する、
ことを特徴とする商品販売システム。
【請求項３】
前記虚偽情報判定部で虚偽の情報が入力されたと判定すると、アフィリエイトコンテンツに入力された情報を、前記購入した商品の注文者情報または配達先の情報で更新する情報修正処理部を有する、
ことを特徴とする請求項１又は２に記載の商品販売システム。
【請求項４】
前記合計金額確認画面生成部は、
前記ユーザの特性情報と、前記仮想ショッピングカートに記憶されている商品または商品のカテゴリーと、に対応する複数のアフィリエイトコンテンツの割引額の合計額が設定制限を超える場合、設定制限以内で割引額の高い順の複数のアフィリエイトコンテンツを抽出して合計金額確認画面を生成する、
ことを特徴とする請求項１から請求項３のいずれかに記載の商品販売システム。
【請求項５】
前記合計金額確認画面生成部は、
前記抽出した複数のアフィリエイトコンテンツを割引額の高い順に並べ替えて配置するように合計金額確認画面を生成する、
ことを特徴とする請求項４に記載の商品販売システム。
【発明の詳細な説明】
【技術分野】
【０００１】
本発明は、ユーザがユーザ端末を用いてインターネットなどの通信ネットワークを介してアクセスし、商品を購入可能なサイトを提供する商品販売システムに関する。
【背景技術】
【０００２】
ユーザがユーザ端末を用いて、商品販売用のウェブサイト（以下、「商品販売サイト」とする）にアクセスし、選択した商品（なお、本明細書において「商品」には有体物のほかにも、情報のような無体物やサービスなども含まれる）を仮想ショッピングカートに入れながら商品を購入することが一般的に行われている。具体的には、ユーザがユーザ端末を用いてインターネットを介して商品販売サイトにアクセスすると、商品販売サイトから商品情報画面が表示される。そして、商品情報画面で購入を希望する商品を選択すると、選択した商品が仮想ショッピングカートに追加される。さらに、ユーザが購入を希望する別の商品を新たに選択することで、新たに選択した商品も仮想ショッピングカートに追加される。これを反復する。決済時には、商品の商品名と前記商品の合計金額とを表示するカート内容画面が表示され、購入ボタンの指定入力により購入手続きが行われる（特許文献１参照）。
【先行技術文献】
【特許文献】
【０００３】
【特許文献１】特開２００３−１２２９７１号公報
【発明の概要】
【発明が解決しようとする課題】
【０００４】
ところで、ユーザは、商品販売サイトにおいて、より低価格で商品を購入したいという要望が強い。他方において、事業者は自らの商品に対して関心を持ってもらうためにメールマガジンを発行したり、各種資料提供を行っている。また自らの商品の改善を行うためにアンケートを行っている。これらは事業者のウェブサイトで行われるほか、アクセスが多いウェブサイトに広告を出稿することで、そこから事業者のウェブサイトにアクセスをしてもらい、ユーザを自社のウェブサイトに誘引している。そのため、事業主は、出稿主として商品販売サイトで、メールマガジンの登録、資料請求、アンケート記入等の広告を出稿し、商品販売サイトを利用した販促活動を行いたいという要望も強い。
【０００５】
斯様な要望を実現するシステムとして、商品販売サイトにおいて、事業者が効果的な販促活動を行うことができるとともに、ユーザが商品を低価格で購入することができ、さらに、商品販売サイトの運営者が低価格でユーザに商品を販売することができるシステムが望まれる。
【０００６】
ユーザに低価格で商品を販売するために、従来では、ユーザが商品を購入した際に、ユーザに対して商品価格の所定割合、たとえば１０％をポイントとして付与することが行われている。この場合、たとえば１ポイントが１円、といったようにポイントの換金率があらかじめ設定されており、ユーザが次回以降、そのウェブサイトで商品を購入した場合に、そのポイントを用いて、商品価格の一部または全部に充当することができるポイント制度を導入している場合もある。
【０００７】
しかしポイント制度は、次回以降の商品の購入にしかそのポイントを使えない。すなわち、少なくとも１回は商品を購入していなければ、ユーザは割引の恩恵に預かれない。このように、ポイント制度は、商品を販売する側にとってはユーザを囲い込むことができるのでメリットがあるが、ユーザにとってはその場で利用することができない、というデメリットの面もある。そのため、ユーザは、最初の商品購入であっても、割引が受けられることを望んでいる。
【０００８】
また、このような割引を行う場合、虚偽の情報を登録することで割引の恩恵を受けようとするユーザがいるが、かかる行為は望ましくないことから、上記の割引の適用をする一方、このような行為に対処することが求められる。
【０００９】
本発明は上記課題に鑑み提案するものであって、事業者が効果的な販促活動を行うことができるとともに、ユーザが、以前に購入経験がなくても、商品を低価格で購入することができ、商品販売サイトの運営者が低価格でユーザに商品を販売することができる商品販売システムを提供することを目的とする。
【課題を解決するための手段】
【００１０】
本発明の商品販売システムは、ユーザがユーザ端末を用いて通信ネットワークを介してアクセスし、商品を仮想ショッピングカートの記憶領域に記憶させながら商品を購入可能なサイトを提供する商品販売システムであって、前記商品販売システムは、購入可能な商品を表示する商品情報画面を前記ユーザ端末に送信する商品情報画面送信部と、前記仮想ショッピングカートの記憶領域に記憶された商品の合計金額を表示する合計金額確認画面を生成して前記ユーザ端末に送信する合計金額確認画面生成部と、前記ユーザの特性情報を記憶するユーザ情報記憶部と、割引額と割引を受けるために必要な内容が表示されるアフィリエイトコンテンツを記憶するコンテンツ記憶部と、前記アフィリエイトコンテンツに入力された情報が虚偽の情報であるかを判定する虚偽情報判定部と、を備えた商品販売サーバを有しており、前記合計金額確認画面生成部は、前記ユーザの特性情報と、前記仮想ショッピングカートに記憶されている商品または商品のカテゴリーと、に対応するアフィリエイトコンテンツを前記コンテンツ記憶部から抽出し、前記仮想ショッピングカートの記憶領域に記憶された商品の合計金額と前記抽出したアフィリエイトコンテンツとを表示する合計金額確認画面を生成して前記ユーザ端末に送信し、前記表示したアフィリエイトコンテンツのうち、前記ユーザにより指定されたアフィリエイトコンテンツに対応する前記ユーザの属性情報の入力の操作が前記ユーザ端末から行われると、前記指定されたアフィリエイトコンテンツの割引額を前記合計金額から減算し、前記減算後の合計金額確認画面を生成して前記ユーザ端末に送信する合計金額確認画面生成処理を行うと共に、商品の注文者情報又は配送先情報の入力を受け付け可能になっており、前記虚偽情報判定部は、前記入力されたアフィリエイトコンテンツに対する前記ユーザの属性情報と、前記商品の注文者情報または配達先の情報とを比較し、一致していない場合に、虚偽の情報の入力がされたと判定する、ことを特徴とする。なお、本発明に於ける商品には、物としての商品の他に、代金を出して購入可能なサービス（役務）も含まれる。
【００１１】
この発明によれば、事業者が効果的な販促活動を行うことができるとともに、ユーザが、以前に購入経験がなくても、商品を低価格で購入することができ、商品販売サイトの運営者が低価格でユーザに商品を販売することができる。
【００１２】
また、アフィリエイトコンテンツの入力に虚偽の情報を入力する一方、割引を受けることで商品を低価格で購入しようとするユーザの利用を防止することが出来る。
【００１４】
商品を購入する際の割引を受ける場合、少なくとも商品の注文者情報や配達先の情報としては正確な情報を入力しなければならない。従って、アフィリエイトコンテンツに対するユーザの属性情報と、商品の注文者情報や配達先の情報とが一致していなければアフィリエイトコンテンツに対して入力された属性情報は虚偽の情報であると考えられる。そこで本発明のように構成することで、虚偽の情報を判定することが出来る。
【００１５】
また、本発明の商品販売システムは、以下のように構成することができる。すなわち、ユーザがユーザ端末を用いて通信ネットワークを介してアクセスし、商品を仮想ショッピングカートの記憶領域に記憶させながら商品を購入可能なサイトを提供する商品販売システムであって、前記商品販売システムは、購入可能な商品を表示する商品情報画面を前記ユーザ端末に送信する商品情報画面送信部と、前記仮想ショッピングカートの記憶領域に記憶された商品の合計金額を表示する合計金額確認画面を生成して前記ユーザ端末に送信する合計金額確認画面生成部と、前記ユーザの特性情報を記憶するユーザ情報記憶部と、割引額と割引を受けるために必要な内容が表示されるアフィリエイトコンテンツを記憶するコンテンツ記憶部と、前記アフィリエイトコンテンツに入力された情報が虚偽の情報であるかを判定する虚偽情報判定部と、を備えた商品販売サーバを有しており、前記合計金額確認画面生成部は、前記ユーザの特性情報と、前記仮想ショッピングカートに記憶されている商品または商品のカテゴリーと、に対応するアフィリエイトコンテンツを前記コンテンツ記憶部から抽出し、前記仮想ショッピングカートの記憶領域に記憶された商品の合計金額と前記抽出したアフィリエイトコンテンツとを表示する合計金額確認画面を生成して前記ユーザ端末に送信し、前記表示したアフィリエイトコンテンツのうち、前記ユーザにより指定されたアフィリエイトコンテンツに対応する前記ユーザの属性情報の入力の操作が前記ユーザ端末から行われると、前記指定されたアフィリエイトコンテンツの割引額を前記合計金額から減算し、前記減算後の合計金額確認画面を生成して前記ユーザ端末に送信する合計金額確認画面生成処理を行うようになっており、前記合計金額確認画面には、前記商品の注文者情報又は配送先情報の入力を受け付ける入力欄が設けられ、該入力欄には前記アフィリエイトコンテンツに対して入力されたユーザの属性情報が反映され表示されるようになっており、前記虚偽情報判定部は、前記入力欄に表示された前記ユーザの属性情報に対する変更処理の有無を監視し、前記変更処理が行われた場合に、虚偽の情報の入力がされたと判定する、ことを特徴とする。なお、本発明に於ける商品には、物としての商品の他に、代金を出して購入可能なサービス（役務）も含まれる。
【００１６】
ウェブサイトで情報の入力を行う場合、その入力負担を軽減するため、最初に入力された情報と同一の情報の入力を行う場合には、特段の事情がない限り、再度入力する情報の入力欄には、最初に入力された情報が反映されており、ユーザはそれを承諾するだけで済むように構成されることが多い。本発明の場合には、アフィリエイトコンテンツへの属性情報の入力が行われた後に入力される商品の注文者情報や配達先の情報としては、本来、それら各情報は一致するはずであるから、同様にアフィリエイトコンテンツへの属性情報が、商品の注文者情報や配達先の情報の入力欄に反映される。そして、適切に情報の入力を行っているユーザであれば、アフィリエイトコンテンツへの属性情報をそのまま商品の注文者情報や配達先の情報として用いることが出来る。しかし、アフィリエイトコンテンツへの属性情報として虚偽の情報を入力しているユーザの場合、商品の注文者情報や配達先の情報としては正確な情報に変更しなくてはならない。そのため、本発明のように構成することで、虚偽の情報が入力されたことを判定することが出来る。
【００１７】
また本発明のように構成することで、すべてのユーザについて虚偽の情報か否かの判定を行わずに済むこととなり、サーバの負荷を軽減することが出来る。
【００２２】
本発明の商品販売システムにおいて、前記合計金額確認画面生成部は、前記ユーザの特性情報と、前記仮想ショッピングカートに記憶されている商品または商品のカテゴリーと、に対応する複数のアフィリエイトコンテンツの割引額の合計額が設定制限を超える場合、設定制限以内で割引額の高い順の複数のアフィリエイトコンテンツを抽出して合計金額確認画面を生成する、商品販売システムである。
【００２３】
この発明によれば、制限のない割引を避けることができるとともに、制限内の割引で法規制も遵守することができる。
【００２４】
本発明の商品販売システムにおいて、前記合計金額確認画面生成部は、前記抽出した複数のアフィリエイトコンテンツを割引額の高い順に並べ替えて配置するように合計金額確認画面を生成する、商品販売システムである。
【００２５】
この発明によれば、ユーザはより高額の割引を一層容易に受けることが可能となる。
【発明の効果】
【００２６】
本発明の商品販売システムは、事業者が効果的な販促活動を行うことができるとともに、ユーザが、以前に購入経験がなくても、商品を低価格で購入することができ、さらに、商品販売サイトの運営者が低価格でユーザに商品を販売することができるという三者のメリットを同時に実現することができる。
【図面の簡単な説明】
【００２７】
【図１】本発明による実施形態の商品販売システムのハードウェア構成及び商品販売システムが用いられるシステムの全体構成を示す構成図である。
【図２】商品販売システム（商品販売サーバ）のプロセスの流れを示すフローチャートである。
【図３】カート内容画面の例を示す図である。
【図４】合計金額確認画面の例を示す図である。
【図５】割引額の減算後の商品の合計金額が表示される合計金額確認画面の例である。
【図６】実施例２の商品販売システム（商品販売サーバ）のプロセスの流れを示すフローチャートである。
【図７】実施例３の商品販売システム（商品販売サーバ）のハードウェア構成および商品販売システムが用いられるシステムの全体構成を示す構成図である。
【図８】実施例３の商品販売システム（商品販売サーバ）のプロセスの流れを示すフローチャートである。
【図９】実施例４の商品販売システム（商品販売サーバ）のハードウェア構成および商品販売システムが用いられるシステムの全体構成を示す構成図である。
【発明を実施するための形態】
【００２８】
本発明による実施形態の商品販売システムについて説明する。本実施形態の商品販売システムは、図１に示す全体のシステム構成の中における商品販売サーバ１である。この全体のシステム構成は、商品販売サーバ１と、商品販売サーバ１と通信ネットワークであるインターネット２などを介してアクセス可能である、ユーザが利用するユーザ端末３、およびアフィリエイトコンテンツの入力、登録を行う出稿入力者端末４とを有する。なお、出稿入力者としては、アフィリエイトコンテンツの出稿主のほか、出稿主の代理で入力、登録する者も含む。
【００２９】
商品販売サーバ１は、インターネット２などのネットワークを介してアクセスするユーザ端末３に対し、商品を仮想ショッピングカートに追加しながら、商品購入が可能なウェブサイト（以下、単に「サイト」とする場合もある）を提供するものである。
【００３０】
商品販売サーバ１は、プログラムの演算処理を実行するＣＰＵなどの演算装置と、情報を記憶するＲＡＭやハードディスクなどの記憶装置と、演算装置の処理結果や記憶装置に記憶する情報をインターネットやＬＡＮなどのネットワークを介して送受信する通信装置と、を少なくとも有している。またディスプレイなどの表示装置、キーボードやマウスやテンキーなどの入力装置を有していても良い。商品販売サーバ１上で実現する各機能（各手段）は、その処理を実行する手段（プログラムやモジュールなど）が演算装置に読み込まれることでその処理が実行される。各機能は、記憶装置に記憶した情報をその処理において使用する場合には、該当する情報を当該記憶装置から読み出し、読み出した情報を適宜、演算装置における処理に用いる。なお商品販売サーバ１は１台で構成されていても良いし、その機能が分散され、複数台から構成されていても良い。またサーバと表現したが、サーバに限定されず、コンピュータであればよい。
【００３１】
そして、商品販売サーバ１は、上記の処理を実行する手段として、購入可能な商品を表示する商品情報画面をユーザ端末３に送信する商品情報画面送信部１１と、ユーザが仮想ショッピングカートに入れた購入手続き前の商品の内容の画面を生成してユーザ端末３に送信するカート内容画面生成部１２と、ユーザのＩＤとパスワードを照合するユーザ照合部１３と、仮想ショッピングカートに入れられた商品の合計金額を表示する合計金額確認画面を生成してユーザ端末３に送信する合計金額確認画面生成部１４と、ユーザ情報データベース１５と、複数のアフィリエイトコンテンツを記憶するコンテンツデータベース１６とを備える。本実施形態では、コンテンツデータベース１６は、ユーザ情報データベース１５等とは別のサーバにある。
【００３２】
なお仮想ショッピングカートとは、ユーザが購入する商品に関する情報を記憶する記憶領域であって、商品を購入するユーザＩＤなどの識別情報、ユーザが購入を希望する商品を識別する商品識別情報、購入する商品の金額、それらの合計金額、合計金額からの割引額、取引識別情報などが対応づけて記憶されている。
【００３３】
本発明における各手段は、その機能が論理的に区別されているのみであって、物理上あるいは事実上は同一の領域を為していても良い。
【００３４】
合計金額確認画面生成部１４は、合計金額確認画面をユーザ端末３に送信する際に、後述するユーザ情報データベース１５のユーザの特性情報および／または仮想ショッピングカートの内容（たとえば仮想ショッピングカートに入れられた商品あるいはそのカテゴリー等）に対応するアフィリエイトコンテンツを、後述するコンテンツデータベース１６から抽出し、この抽出したアフィリエイトコンテンツを表示する合計金額確認画面を生成してユーザ端末３に送信する。そして合計金額確認画面で表示したアフィリエイトコンテンツの指定により、当該アフィリエイトコンテンツに紐づけられたウェブサイトでユーザの所定の操作が行われると、それに応じて、指定されたアフィリエイトコンテンツの割引額を商品の合計額から減算し、減算後の合計額を表示する合計金額確認画面を生成してユーザ端末３に送信する。
【００３５】
合計金額確認画面生成部１４は、合計金額を確認する際に、アフィリエイトコンテンツを表示できるようにすると好ましいことから、アフィリエイトコンテンツを合計金額確認画面に表示する構成としたが、それ以外の画面にアフィリエイトコンテンツを表示してもよい。この場合には、合計金額確認画面生成部１４に加えて／に代えて所定の画面生成部（図示せず）を備え、そこで合計金額確認画面生成部１４における画面生成処理と同様の処理を行うこととなる。
【００３６】
ユーザ情報データベース１５は、ユーザの特性情報を記憶するものであり、この特性情報は、たとえばユーザの年齢、性別、居住地域等の属性情報である。また、ユーザ情報データベース１５にはユーザの特性情報と対応してユーザＩＤとパスワードが記憶されている。
【００３７】
コンテンツデータベース１６は、割引額と割引を受けるのに必要な内容が表示されるアフィリエイトコンテンツを複数記憶するものである。このアフィリエイトコンテンツは、商品販売サーバ１が、インターネット２などのネットワークを介してアクセスされる出稿入力者端末４からのアフィリエイトコンテンツの登録申込を受け付けて、記憶されるものである。アフィリエイトコンテンツのデータには、出稿主の識別情報と、アフィリエイトコンテンツの識別情報と、割引額や割引率（以下、単に「割引額」という）と、合計金額確認画面に表示するアフィリエイトコンテンツの画像データ、アフィリエイトコンテンツ（好ましくはその画像データ）が選択された場合に、ユーザ端末３にアクセスさせるコンテンツやウェブサイトへのＵＲＬ（アクセス先を示す情報）、などが適宜、表示条件に対応して記憶されている。この表示条件としては、たとえばユーザの特性情報および／または仮想ショッピングカートに入れられた商品の属性情報に対応づけられている。すなわち、ユーザの特性情報として性別が「女性」、「２０歳代」、商品の属性情報として商品の種類が「ダイエット食品」である場合に、当該アフィリエイトコンテンツを表示する、といった、合計金額確認画面に当該アフィリエイトコンテンツを表示するための条件が記憶されている。
【００３８】
なお、本明細書の説明では各データベースを、「データベース」と単に表記しているが、データベースでなくても情報を記憶する記憶手段であれば、データファイルなどほかの形式を採っていても良い。
【００３９】
さらに、商品販売サーバ１は、本発明における処理を実行するための作業用の記憶領域を記憶装置を用いて実現している。たとえば後述する仮想ショッピングカートの記憶領域や、注文確定処理が行われた際に、その注文確定処理における割引額、割引した相手の識別情報、割引した相手が入力した情報、割引額を負担する当該アフィリエイトコンテンツの出稿主の識別情報などを記憶する記憶領域、などが適宜、実現される。
【００４０】
また、ユーザ端末３、出稿入力者端末４は、プログラムの演算処理を実行するＣＰＵなどの演算装置と、情報を記憶するＲＡＭやハードディスクなどの記憶装置と、演算装置の処理結果や記憶装置に記憶する情報をインターネットやＬＡＮなどのネットワークを介して送受信する通信装置と、ディスプレイなどの表示装置、キーボードやマウスやテンキーなどの入力装置とを有している。たとえばパーソナルコンピュータ、携帯電話機、ＰＨＳ、ＰＤＡなどの可搬型通信端末などを適宜、用いることができる。
【実施例１】
【００４１】
次に、本実施形態の商品販売システム（商品販売サーバ）のプロセスの流れについて図２に沿って説明する。
【００４２】
ユーザが利用するユーザ端末３がインターネット３などのネットワークを介して商品販売サーバ１にアクセスすると、商品販売サーバ１は、商品情報画面送信部１１により、購入可能な商品を表示する商品情報画面をユーザ端末３に送信し、商品を仮想ショッピングカートに追加しながら、商品購入が可能なサイトを提供する（Ｓ１０１）。ユーザは、商品情報画面の中の「カートに入れる」ボタン等を指定入力することにより、商品情報画面の中から所望の商品を仮想ショッピングカートに入れていく（Ｓ１０２）。この際に、選択した商品の商品識別情報、商品の金額、購入する商品の合計金額などの必要な情報が、当該ユーザの仮想ショッピングカートの記憶領域に記憶されることで、仮想ショッピングカートに商品が追加されることとなる。なお商品識別情報や金額などの商品に関する情報は、図示しない商品に関する情報を記憶するデータベースや所定のサーバから抽出すればよい。仮想ショッピングカートに追加された購入手続き前の商品は、商品販売サーバ１のカート内容画面生成部１２により、当該仮想ショッピングカートの記憶領域を参照することで、ユーザ端末３で確認可能に送信され、カート内容画面として表示される（図３参照）。
【００４３】
その後、カート内容画面の「注文フォーム」のボタン等の入力に応じて（Ｓ１０３）、商品販売サーバ１のユーザ照合部１３は、ユーザＩＤと、パスワードを入力する画面をユーザ端末３に送信し、ユーザ端末３からユーザＩＤ及びパスワードを受信してユーザ情報データベース１３に格納されているユーザＩＤ及びパスワードと照合し、ユーザが登録会員であることを確認する（Ｓ１０４）。なおユーザが登録会員であるかのための照合処理は、いずれの段階で行われても良い。
【００４４】
そしてユーザが登録会員であることが確認されると、上記で仮想ショッピングカートの記憶領域に記憶された、選択した商品の商品識別情報、商品の金額、購入する商品の合計金額などの必要な情報に、ユーザＩＤの情報がさらに対応づけて当該記憶領域に記憶させる。これによって、当該ユーザＩＤのユーザが、仮想ショッピングカートに追加した商品、商品の金額、購入する商品の合計金額などを特定することができる。
【００４５】
商品販売サーバ１は、ユーザが登録会員であることを確認すると、合計金額確認画面生成部１４により、仮想ショッピングカートの記憶領域に記憶した合計金額の情報を抽出し、商品の合計金額を表示する合計金額確認画面を生成してユーザ端末３に送信する（Ｓ１０６）。
【００４６】
この際、商品販売サーバ１は、当該ユーザの特性情報、および／または、仮想ショッピングカートの記憶領域に記憶されている商品識別情報の商品あるいは商品のカテゴリーなど仮想ショッピングカートの内容に対応するアフィリエイトコンテンツを表示条件に基づいてコンテンツデータベース１６から抽出し（Ｓ１０５）、抽出したアフィリエイトコンテンツが表示される合計金額確認画面（図４参照）を生成してユーザ端末３に送信する。ユーザ端末３で表示されるアフィリエイトコンテンツの画像データは、割引額と、たとえばメールマガジンの登録、資料請求、アンケート記入等の割引に必要な内容を含む登録画面へのリンクであり、画像またはテキストなどが表示される。
【００４７】
具体的には、合計金額確認画面を生成する際に、ユーザＩＤに基づく特性情報（年齢、性別、居住地域など）、商品識別情報に基づく商品の属性情報（商品の種類（化粧品、食料品、電化製品など）、対象者となる特性情報など）を抽出する。そしてアフィリエイトコンテンツの表示条件と照合し、対応するアフィリエイトコンテンツをコンテンツデータベース１６から抽出する。そして、合計金額確認画面生成部１４で生成する合計金額確認画面の所定領域に、抽出したアフィリエイトコンテンツを表示する。
【００４８】
なおアフィリエイトコンテンツとしては、所定のウェブサイトのコンテンツ（アンケートの入力画面、メールマガジンの登録画面、資料請求画面、会員登録画面など任意のコンテンツ）にリンクが張られた画像であることが好ましいが、それに限定されるものではない。
【００４９】
図４の例における合計金額確認画面は、注文商品のお届け先の情報を表示するページで、合わせて仮想ショッピングカートに追加された商品の合計金額が表示される画面であり、この画面に抽出された、メールマガジンの登録、アンケート記入、会員登録、資料請求等を促すことを内容とするアフィリエイトコンテンツが複数表示されている。なお、合計金額確認画面は、商品の合計金額とアフィリエイトコンテンツを表示可能な画面であれば適宜であり、たとえばユーザが個人情報を入力する画面等としてもよい。
【００５０】
ここで、合計金額確認画面生成部１４がアフィリエイトコンテンツを抽出する際には、ユーザの特性情報と仮想ショッピングカートの内容等の条件に対応するアフィリエイトコンテンツを全て抽出して表示することも可能であるが、アフィリエイトコンテンツが多いと、画面の視認性が低下する。そこで、Ｓ１０５で抽出したアフィリエイトコンテンツのアフィリエイトコンテンツの割引額を認識し、認識したアフィリエイトコンテンツを割引額の高い順に、設定された所定個数だけ表示する構成としてもよい。割引額の高い順に複数のアフィリエイトコンテンツを抽出、表示する場合、ユーザはより高額の割引を容易に受けることが可能となる。
【００５１】
また、複数のアフィリエイトコンテンツを抽出して表示する際には、合計金額確認画面生成部１４が、抽出した複数のアフィリエイトコンテンツを割引額の高い順に並べ替えて配置するように合計金額確認画面を生成すると好適であり、たとえば図４の上側に位置する一段目の左から右へ、二段目の左から右への順番でアフィリエイトコンテンツを並べるようにする。この構成によれば、ユーザはより高額の割引を一層容易に受けることが可能となる。
【００５２】
その後、ユーザ端末３において、合計金額確認画面で表示されているアフィリエイトコンテンツが指定される（たとえば、アフィリエイトコンテンツの画像が入力装置によってクリック等で選択される）と、商品販売サーバ１は、アフィリエイトコンテンツの指定入力を受信する（Ｓ１０７）。この際には、指定されたアフィリエイトコンテンツの識別情報が受信されると良い。ここで受信した、ユーザにより指定されたアフィリエイトコンテンツの識別情報は、ユーザが選択したアフィリエイトコンテンツの情報として、ユーザ情報データベース１５や所定の記憶領域に記憶させておく。これによって、合計金額確認画面生成部１４が抽出したアフィリエイトコンテンツを表示する際に、抽出したアフィリエイトコンテンツの識別情報と、ユーザ情報データベース１５や所定の記憶領域に記憶させた、既にユーザにより指定されたアフィリエイトコンテンツの識別情報と比較することができる。これによって既に指定されたアフィリエイトコンテンツの識別情報の表示が行われなくなる。
【００５３】
そして、当該アフィリエイトコンテンツに対応づけられているＵＲＬなどの情報に基づいて、対応するコンテンツ、たとえばメールマガジンの登録画面、資料請求画面、アンケートの回答画面、会員登録画面、などがユーザ端末３に送信される。なおこれらのコンテンツは、商品販売サーバ１のコンテンツデータベース１６に記憶されていても良いし、ほかのデータベースであっても良いし、商品販売サーバ１とは別のサーバに記憶されていても良い。
【００５４】
そしてユーザ端末３から、それらのコンテンツへの情報の入力が行われ、当該画面で情報登録を示す所定の操作、たとえば「データ登録」、「送信」などが選択されると、商品販売サーバ１の所定の記憶領域や上記所定のサーバ（上記画面をユーザ端末３に送信したサーバ）の所定の記憶領域において、当該コンテンツにユーザが入力した情報が登録されることとなる。この際には、当該アフィリエイトコンテンツの出稿主の識別情報、ユーザＩＤ、登録した情報のほか、割引額などの情報もあわせて記憶されても良い。なお、ここで記憶された情報、特にユーザが入力した情報は、出稿主の識別情報に基づいて、リアルタイムで出稿入力者端末４に送信されても良いし、一日ごと、一週間ごと、一ヶ月ごとといったように、所定のタイミングでバッチ処理でまとめて出稿入力者端末４に送信されても良い。また、出稿入力者端末４において所定の操作を行うことで、出稿入力者端末４から上記記憶領域にアクセスし、ダウンロードによってアフィリエイトコンテンツへ入力された情報を取得できても良い。なお出稿入力者が出稿主の代理をしている場合には、出稿主の利用するコンピュータ端末に対して、上記情報を送信するように構成する。
【００５５】
一方、商品販売サーバ１の合計金額確認画面生成部１４は、上記画面における情報登録を示す操作が行われると（所定のサーバで行われる場合にはそのサーバから操作が行われたことを示す情報や入力された情報を受け取ればよい）、指定されたアフィリエイトコンテンツの割引額を仮想ショッピングカートの商品の合計金額から減算し、割引額や減算後の商品の合計金額を仮想ショッピングカートの記憶領域に記憶させるとともに、減算後の合計金額を表示する合計金額確認画面を生成してユーザ端末３に送信する（Ｓ１０８）。図５の合計金額確認画面のように、複数のアフィリエイトコンテンツを抽出して表示する場合には、そのうちの任意のアフィリエイトコンテンツの指定に応じて、対応する割引額の減算処理を行うようになっており、ユーザには複数のアフィリエイトコンテンツが選択肢として与えられ、たとえばメールマガジンの登録、資料請求、アンケート記入など自分の希望するアフィリエイトコンテンツを選択することができる。
【００５６】
図５の例における合計金額確認画面は、図４の合計金額確認画面の商品の合計金額から「メールマガジンの登録」に伴う割引額が減算された商品の合計金額が表示されている。また、図５の画面では既に指定された「メールマガジンの登録」のアフィリエイトコンテンツは除外して表示されており、本例では、合計金額確認画面生成部１４が、既に指定されたアフィリエイトコンテンツを除外して抽出したアフィリエイトコンテンツを表示する合計金額確認画面を生成し、ユーザ端末３に送信するようになっている。この構成によれば、既に指定されたアフィリエイトコンテンツが同一ユーザに再度指定されることを避けることができ、アフィリエイトコンテンツの出稿主が実効性のある販促活動を確実に行うことが可能となる。
【００５７】
なお図５のように、既に指定されたアフィリエイトコンテンツは、上述のように、除外するほか、その選択が行えないように、ボタンを押せなくしたり、あるいはグレーアウトするなどの処理を行っても良い。これは、既に指定されたアフィリエイトコンテンツに対して入力処理等を行うと、その対象となったサーバ（アフィリエイトコンテンツに基づいて情報の入力を受け付けたサーバ）から、入力済の情報を商品販売サーバ１に返し、これを受けて、商品販売サーバ１は、既に指定されたアフィリエイトコンテンツを、除外したり、選択が行えないようにする。このような方法で、一度、指定したアフィリエイトコンテンツについては、再度、指定ができないようにすることができる。
【００５８】
さらに、図５の例では、合計金額確認画面生成部１４が、複数のアフィリエイトコンテンツの指定を行うこともできる。すなわち、複数のアフィリエイトコンテンツをユーザが指定することによって、それらに対応する割引額の合計額を商品の合計金額から減算するようになっており、たとえば「メールマガジンの登録」に加えて「会員登録」を行うと、これらを合わせた合計額が商品の合計金額から割り引かれるようになっている。
【００５９】
なお、合計金額確認画面生成部１４が、複数のアフィリエイトコンテンツを抽出して合計金額確認画面で表示する場合には、割引額の合計額の設定制限（たとえば本来の合計金額のうちの所定割合（３０％など）や所定金額）を記憶保持し、ユーザの特性情報と仮想ショッピングカートの内容に対応する複数のアフィリエイトコンテンツの割引額の合計額が設定制限を超える場合、設定制限以内で割引額の高い順の複数のアフィリエイトコンテンツを抽出して合計金額確認画面を生成する構成とすると好適である。この構成によれば、制限のない割引を避けることができると共に、制限額内の割引で法規制も遵守することができる。
【００６０】
また、割引額を算出する際に、購入した商品の合計金額に対する制限額と、仮想ショッピングカートの記憶領域に記憶される割引額の合計とを比較し、割引額の合計が制限額を超過しないように処理をしても良い（割引額の合計の上限を制限額とする）。たとえば、あるユーザの商品購入金額が１０００円であり、設定制限が購入金額の３０％であるとする。この場合、ユーザが５００円の割引額のアフィリエイトコンテンツを選択し、たとえば会員登録を行った場合、本来であれば、５００円が割り引かれることとなるが、３０％が上限の設定制限となっているので、３００円しか割り引かれないこととなる。これは、複数のアフィリエイトコンテンツを指定した場合であっても同様に処理することができる。
【００６１】
その後、割引後の合計金額において、注文確定処理が行われると、割引後の合計金額で商品の購入が確定する（Ｓ１０９）。すなわち、仮想ショッピングカートの記憶領域に記憶されている、ユーザＩＤ、購入した商品識別情報、商品の金額、商品の合計金額（割引前の金額）、割引額、実際の合計金額などの情報を上記記憶領域から抽出し、売上や販売を管理するデータベース（図示せず）に情報を移動させることで、売上や販売記録として管理するとともに、上記仮想ショッピングカートから情報を消去させる。
【００６２】
また、注文確定処理が行われると、当該アフィリエイトコンテンツの出稿主に対して、その割引額を請求可能なように、出稿主の識別情報、実際に割り引いた割引額、割引した相手（情報入力をしたユーザのユーザＩＤなどの識別情報）、割引した相手が入力した情報などを紐づけて所定の記憶領域に記憶させる。そして、所定の請求タイミングで、出稿主識別情報に基づいて、この記憶領域から少なくとも実際の割引額の情報を抽出し、抽出した割引額の合計額を算出し、それを出稿主に対して、郵送、電子メールなどで請求する。なお、実際の割引額の情報を抽出するほか、ほかの情報もあわせて抽出し、出稿入力者端末４に送信しても良い。
【００６３】
一方で、商品販売サーバ１の運営者は、売上や販売管理のデータベースに基づいて、通常どおりの方法で、ユーザが購入した商品の販売者に対しては割引の金額を従来と同様の方法で支払う。また、売上や販売管理のデータベースに基づいて、通常どおりの方法で、ユーザには、割引後の支払金額を請求することとなる。
【００６４】
たとえば、ユーザが１０００円の商品を購入し、３００円分の割引を受ける場合、商品販売サーバの運営者は、その商品の販売者に対して、１０００円分を従来と同様の方法により支払う。一方、ユーザからは７００円を受領する。また割引額については、当該ユーザが指定したアフィリエイトコンテンツの出稿主に対して請求し、アフィリエイトコンテンツの出稿主から３００円を受領する。なお、この際に商品販売サーバの運営者が所定の手数料を控除しても良い。また商品販売サーバの運営者と商品の販売者とが同一であっても良い。
【００６５】
以上のように構成することによって、出稿主である事業者がアフィリエイトコンテンツにより効果的な販促活動を行うことができるとともに、ユーザが商品を低価格で購入することができ、さらに、商品販売サイトの運営者は低価格でユーザに商品を販売することができる。すなわち、商品の販売者は通常と同様の金額を受領することができ、ユーザは通常よりも安い金額で商品を購入できる。そしてアフィリエイトコンテンツの出稿主は、割引額を負担することで、アフィリエイトコンテンツに対するユーザの情報の入手などができる。
【００６６】
なお、商品販売サーバ１や所定のサーバに記憶された、ユーザがアフィリエイトコンテンツを選択することで入力した情報は、所定のタイミングで出稿入力者端末４に送信される。なお出稿入力者端末４に送信された後は、その情報は削除されても良い。
【００６７】
また、本発明の商品販売サーバ１において、一度、仮想ショッピングカートに入れた商品を削除する場合がある。その場合には、注文確定時における合計金額に基づいて、設定制限を再算出すると良い。
【００６８】
また、本発明では、商品の購入をする際の割引を受けられることから、適当な情報を入力し、割引だけ受けようとする悪質なユーザが発生する可能性もある。そのようなことを防止するためには、請求タイミングで、割引額の情報に基づく割引額の合計額の情報を出稿主に対して送信するのみならず、当該出稿主が負担したユーザＩＤ、そのユーザが入力した情報、ユーザごとの割引額を出稿入力者端末４に送信するように構成しても良い。これによって、仮に適当な情報を入力するユーザがいた場合、それを出稿主側で特定することができるので、その悪質なユーザＩＤを商品販売サーバ１の運営者に通知することで、当該運営者は、そのユーザＩＤを利用停止、削除などの制裁を行うことができる。
【００６９】
なお本発明においては、仮想ショッピングカートに商品を購入する処理、注文確定をする処理、アフィリエイトコンテンツを指定する処理では、それぞれが同一のセッションＩＤによるネットワーク接続において、処理が行われることが好ましい。すなわち、商品販売サーバ１とユーザ端末３とが同一のセッションＩＤによりセッションが確立されている間において、本願発明の上述の割引処理が行われても良い。
【００７０】
この場合、ユーザ端末３との間のセッションＩＤと、当該ユーザ端末３のユーザのユーザＩＤとの対応関係を任意の記憶領域に記憶しておく（セッションＩＤとユーザＩＤ、仮想ショッピングカートの記憶領域も対応づけて記憶させておく）。そして、商品販売サーバ１が、当該ユーザＩＤの利用するユーザ端末３とのセッションで用いるセッションＩＤを監視しておき、そのセッションＩＤが消滅した場合には、仮想ショッピングカートの記憶領域から、当該ユーザＩＤに対する割引額の情報を消去することで実現できる。これによって、「その場限りの割引」を強調することができる。
【００７１】
すなわち、ある商品を仮想ショッピングカートに入れ、アフィリエイトコンテンツを指定して所定の操作を行うことで、割引が適用されたとしても、注文確定処理をせずにそのまま放置し、ネットワーク接続を切断等をすると、当該ユーザのユーザ端末３と商品販売サーバ１との間のセッションＩＤが消滅する。そうすると、仮想ショッピングカートの記憶領域に記憶した当該セッションＩＤに対応するユーザＩＤの割引額の情報を消去する。そのため、次回以降のアクセスにおいて、当該ユーザＩＤのユーザが、仮想ショッピングカートに入れた商品を購入するとしても、仮想ショッピングカートの記憶領域から割引額の情報が消去されているので、割引が適用されず、当該商品の金額での決済となる。
【００７２】
もちろん、セッションＩＤが消滅したとしても、仮想ショッピングカートの記憶領域から割引額を消去せずに、その割引額を適用するように構成しても良い。
【実施例２】
【００７３】
上述の実施例では、ユーザがユーザ端末３においてアフィリエイトコンテンツを指定し、その指定入力を商品販売サーバ１で受け取った場合、それに対応するコンテンツがユーザ端末３に送られ、そのコンテンツに対応する入力をユーザが行うことで割引額の適用が受けられる。
【００７４】
そして一度指定されたアフィリエイトコンテンツの情報（たとえばアフィリエイトコンテンツを識別するＩＤなど）は、たとえばユーザ情報データベース１５や、そのほか所定の記憶領域にユーザ毎に記憶される。そして合計金額確認画面生成部１４がアフィリエイトコンテンツを抽出する際には、ユーザ情報データベース１５や、所定の記憶領域に記憶したすでに指定されたアフィリエイトコンテンツの情報（アフィリエイトコンテンツ識別ＩＤなど）と、抽出したアフィリエイトコンテンツの情報（アフィリエイトコンテンツ識別ＩＤなど）とを比較した上で、すでに指定されたアフィリエイトコンテンツを抽出した場合には、そのアフィリエイトコンテンツを表示させず、ほかのアフィリエイトコンテンツ（まだ指定されていないアフィリエイトコンテンツ）を表示させるように構成されている。
【００７５】
しかしこのような構成の場合、アフィリエイトコンテンツを指定したが、注文確定処理を行わずにそのまま放置してネットワーク接続が切断等によりセッションＩＤが消滅してしまうと、そのアフィリエイトコンテンツは表示されなくなってしまう場合がある。すなわちそのアフィリエイトコンテンツによる割引を受けられなくなってしまう。
【００７６】
そこで本実施例では、以下のような処理を実行する。このプロセスの流れの一例を図６に示す。なおＳ２０１乃至Ｓ２０６はＳ１０１乃至Ｓ１０６と同様なので説明を省略する。
【００７７】
そしてユーザ端末３において表示された合計金額確認画面を参照したユーザによって、ユーザ端末３からアフィリエイトコンテンツが指定されたことを受け付けると（Ｓ２０７）、それを一時的に商品販売サーバ１の所定の記憶領域に記憶させる（指定されたアフィリエイトコンテンツのアフィリエイトコンテンツ識別ＩＤなどを記憶させる）（Ｓ２０８）。この一時記憶領域は、Ｓ２０５で抽出したアフィリエイトコンテンツを合計金額確認画面生成部１４で表示させる際に、すでに指定されたアフィリエイトコンテンツとの比較を行う際のユーザ情報データベース１５や所定の記憶領域とは、異なる記憶領域であることが好ましいが、比較対象としなければ同じ記憶領域であっても良い。またユーザがアフィリエイトコンテンツに対応した情報、たとえば会員登録やメールマガジンの登録などの入力を行うと、その情報は、受け付けた商品販売サーバ１の所定の記憶領域や所定のサーバの所定の記憶領域に記憶される。
【００７８】
そして実施例１のＳ１０８と同様に、割引後の購入額を表示する合計金額確認画面を生成し、送信する（Ｓ２０９）。
【００７９】
ユーザによる注文確定処理が完了した後（Ｓ２１０）、上記一時的に記憶させた指定したアフィリエイトコンテンツを指定済とする。すなわち、注文確定処理が完了した後、商品販売サーバ１に、一時的に、記憶領域に記憶されていた、アフィリエイトコンテンツ識別ＩＤをユーザ情報データベース１５や、そのほかの所定の記憶領域に記憶させる（Ｓ２１１）。これによって、注文確定処理が完了する前にセッションＩＤが消滅した場合、新たに合計金額確認画面生成部１４がアフィリエイトコンテンツを抽出する際に、比較対象となるすでに指定したアフィリエイトコンテンツには、注文確定処理の前に指定されたアフィリエイトコンテンツは含まれないこととなるので（注文確定処理が完了するまでは比較対象となるユーザ情報データベース１５や所定の記憶領域には、指定されたアフィリエイトコンテンツは記憶されておらず、注文確定処理によって初めて、比較対象となるユーザ情報データベース１５や所定の記憶領域に、今回のセッションで指定されたアフィリエイトコンテンツが記憶される）、次回以降であっても表示の処理が行われることとなる。なお、ユーザ情報データベース１５や所定の記憶領域に記憶される前に、商品販売サーバ１で一時的に記憶したアフィリエイトコンテンツ識別ＩＤは、ユーザ情報データベース１５や所定の記憶領域に記憶された後、あるいは所定時間経過後に削除されることが好ましい。
【００８０】
また、注文確定処理が完了した後、商品販売サーバ１の所定の記憶領域や所定のサーバの所定の記憶領域に記憶した、アフィリエイトコンテンツに対応した情報、たとえばユーザによる会員登録やメールマガジンの登録などの情報は、送信対象としてフラグが立てられる。なおここで記憶したアフィリエイトコンテンツに対応した情報は、入力したユーザのユーザ識別情報、アフィリエイトコンテンツの識別情報に対応づけられていると良い。
【００８１】
アフィリエイトコンテンツの出稿主が利用する出稿入力者端末４には、送信対象のフラグがある情報が送られる。なお、情報が送られた後、商品販売サーバ１の所定の記憶領域や所定のサーバの所定の記憶領域に記憶した、フラグがあるアフィリエイトコンテンツに対応した情報およびそれに対応づけられた情報は消去しても良い。
【００８２】
なお、商品販売サーバ１の所定の記憶領域や所定のサーバの所定の記憶領域に記憶した、アフィリエイトコンテンツに対応した情報については、セッションが消滅しても記憶しておいても良い。そして、再度、異なるセッションによってユーザが同一のアフィリエイトコンテンツを指定した場合、ユーザ端末３から受信した、当該ユーザのユーザ識別情報とアフィリエイトコンテンツの識別情報に基づいて、上記記憶領域を参照し、情報を抽出することで、再度、ユーザによるアフィリエイトコンテンツに対応する情報への入力処理を省略することも出来る。これによって、ユーザは情報の入力の負担が軽減できる。そして注文確定処理が完了した後に、送信対象としてフラグを立てればよい。
【００８３】
このような処理を行うことで、注文確定処理が完了するまでにセッションＩＤが消滅した場合であっても、そのときに選択されたアフィリエイトコンテンツは、再度、表示可能となる。
【実施例３】
【００８４】
実施例１、実施例２のように、ユーザがアフィリエイトコンテンツに個人情報等の属性情報の登録等を行うことで、当該ユーザが購入する商品の割引を受けられるような場合、アフィリエイトコンテンツでの情報登録の際には、虚偽の情報を登録し、商品の注文の際には正しい情報を登録（あるいは先に入力した情報を修正）することが考えられる。たとえば、アフィリエイトコンテンツでの情報登録の際には、虚偽の氏名、住所、連絡先などを登録し、商品の注文の際には、正しい氏名、住所、連絡先（電話番号や電子メールアドレスなど）などを登録（あるいは修正）するなどである。
【００８５】
これは、自らの個人情報等は登録したくないが割引は受けたい場合に、ユーザがそれを回避するために行う方法の一つである。これによってユーザは自らの個人情報を守ることは出来る。しかし、割引の原資を出している出稿主からすると、正しい情報を得られることを期待して割引の広告を提供しているにもかかわらず、虚偽の情報が収集されてしまうので、出資に見合う効果を得ることが出来ない。そこで、このような場合にも対応することが求められる。
【００８６】
またユーザが上記のような虚偽の情報の登録方法を採ることで、一人のユーザが複数の虚偽の情報を登録し、複数回の割引の適用を受けることも可能となってしまい、出稿主の負担が大きくなってしまう。
【００８７】
そこで本実施例では、ユーザが虚偽の情報を登録しても、出稿主には正しい情報が送られるように構成する場合を説明する。
【００８８】
本実施例の商品販売システムにおける商品販売サーバ１には、さらに虚偽情報判定部１７および情報修正処理部１８を備える。この実施例における商品販売システムのハードウェア構成及び商品販売システムが用いられるシステムの全体構成を示す構成図を、図７に示す。
【００８９】
虚偽情報判定部１７は、ユーザがアフィリエイトコンテンツへ入力した情報に、虚偽の情報があるかを判定する。たとえば、割引後の合計金額において注文確定処理が行われ、割引後の合計金額で商品の購入が確定すると（上述のＳ１０９、Ｓ２１０）、商品の注文の際に入力された、当該注文者情報（氏名、住所、連絡先などの当該商品を購入したユーザを特定する情報）と、Ｓ１０７やＳ２０７のアフィリエイトコンテンツの指定入力に対応して行われたアフィリエイトコンテンツへ入力された情報（当該入力したユーザの氏名、住所、連絡先などの情報）とが一致するかを判定する。なお、アフィリエイトコンテンツへ入力された情報と比較するのは、商品の注文者情報のほか、商品の配達先の情報など、ユーザが自己の情報として正確な情報を入力していると思われる情報であれば如何なる情報であっても良い。
【００９０】
もし一致していた場合には、そのまま商品の購入処理を終了し、一致していない場合には、後述する情報修正処理部１８における処理を実行する。
【００９１】
情報修正処理部１８は、虚偽情報判定部１７において、虚偽の情報が入力されたことを判定すると、アフィリエイトコンテンツへ入力された情報を、注文者情報として入力された情報で更新する。なお、この更新の際には、アフィリエイトコンテンツへ入力された情報を、購入した商品の配達先の情報で更新することをユーザに通知した上で行うことが好ましい。
【００９２】
次に本実施例における処理の一例を図８のフローチャートを用いて説明する。なお、本実施例は、実施例１、実施例２のいずれでも用いることが出来るが、図８では実施例１に適用した場合で説明する。なお、Ｓ３０１乃至Ｓ３０９は、Ｓ１０１乃至Ｓ１０９と同様であるので説明を省略する。
【００９３】
Ｓ３０９において、ユーザが購入した商品の注文確定処理が行われると、虚偽情報判定部１７は、ユーザがＳ３０７のアフィリエイトコンテンツの指定入力に対応して行われたアフィリエイトコンテンツへ入力した情報を抽出する。この情報の抽出は、商品販売サーバ１で上記情報を記憶している記憶領域から抽出しても良いし、アフィリエイトコンテンツの情報を記憶する所定のサーバから抽出しても良い。
【００９４】
また同様に虚偽情報判定部１７は、商品の購入確定処理で入力された、当該商品の注文者の情報を抽出する。
【００９５】
そして虚偽情報判定部１７は、アフィリエイトコンテンツへ入力した情報と、商品の注文者の情報とを比較し（Ｓ３１０）、これらが一致していない場合には虚偽の情報が入力されていると判定する。
【００９６】
虚偽の情報が入力されていると判定した場合には、情報修正処理部１８は、上記抽出した商品の注文者の情報で、アフィリエイトコンテンツへ入力した情報を更新する（Ｓ３１１）。一方、虚偽の情報が入力されていないと判定した場合には、そのまま処理を終了する。
【００９７】
より具体的に説明する。アフィリエイトコンテンツに入力する情報として氏名、住所、電話番号があり、商品の注文者の情報としても同じ情報を入力する場合とする。ユーザは、アフィリエイトコンテンツに入力する氏名として「山田太郎」、住所として「東京都千代田区○○○町１−１−１」、電話番号として「０３−○○○○−○○○○」、電子メールアドレスとして「ａａａ＠ａａａ．ｃｏ．ｊｐ」といった虚偽の情報を入力し、商品の注文者情報における氏名として「佐藤一郎」、住所として「神奈川県横浜市××区××町１−２−３」、電話番号として「０４５−××××−××××」、電子メールアドレスとして「ｓａｔｏｕ＠ｂｂｂ．ｃｏｍ」を入力したとする。
【００９８】
この場合、虚偽情報判定部１７はそれぞれの情報を比較し（Ｓ３１０）、情報が一致していないことから、アフィリエイトコンテンツに虚偽の情報が入力されたと判定する。そして、情報修正処理部１８は、アフィリエイトコンテンツにおける氏名「山田太郎」を「佐藤一郎」、住所「東京都千代田区○○○町１−１−１」を「神奈川県横浜市××区××町１−２−３」、電話番号「０３−○○○○−○○○○」を「０４５−××××−××××」、電子メールアドレス「ａａａ＠ａａａ．ｃｏ．ｊｐ」を「ｓａｔｏｕ＠ｂｂｂ．ｃｏｍ」で更新する。
【００９９】
このような処理を実行することで、ユーザが仮にアフィリエイトコンテンツへ虚偽の情報を入力しても、正しい情報に更新することが出来るので、出稿主にとってアフィリエイトコンテンツへ出稿することが無駄とはならずに済む。なお、上記のような修正を行うにあたっては、ユーザの当初の意に反した修正を行うことから、情報修正処理部１８における修正処理を行う前に、ユーザにメッセージで通知を行う、あるいはユーザから承諾の通知が得られた場合にのみ、修正処理を行うことが好ましい。また、ユーザが承諾しなかった場合には、割引を適用できないので、購入した商品のキャンセル処理を行う、あるいは割引額の追加請求を行うように構成しても良い。
【０１００】
また、本実施例のような虚偽情報の判定処理を行うことはシステム上の負荷も発生する。そこで、さらに、虚偽の情報が入力された疑いが高い場合にのみ、処理を行うようにすることも出来る。
【０１０１】
一般的な商品販売システムでは、ユーザによる入力を減らすために、極力、一度入力した情報は再度の入力を促さないことが行われている。そのため、同じような情報を入力する場合には、前に入力された情報をそのまま新たな情報を入力する際の入力欄に反映させ、ユーザは「ＯＫ」ボタンを選択すればよいように構成されている。従って、アフィリエイトコンテンツへ入力した情報は、通常は、商品の注文者情報と同一であることから、アフィリエイトコンテンツへ入力した情報、特に氏名、住所、連絡先などの情報が行われた後、商品の注文者情報を入力する際には、同一の情報の入力欄には、アフィリエイトコンテンツへ入力した情報が反映されることとなる。
【０１０２】
しかし、虚偽の情報を入力したユーザは、そのまま反映が行われたのでは、自らの手元に購入した商品が届かないこととなる。つまり、虚偽の情報を入力したユーザは、商品の商品の注文者情報に反映された情報の変更処理を行う必要がある。
【０１０３】
そこで虚偽情報判定部１７は、上記のようにアフィリエイトコンテンツへ入力した情報と、商品の注文者情報との一致の比較を行うほか、商品の注文者情報の入力欄に反映されたアフィリエイトコンテンツへ入力した情報の変更処理が行われたかを監視し、変更処理が行われた場合には、虚偽の情報が登録されたと判定しても良い。
【０１０４】
そして虚偽の情報が登録されたと判定した情報については、情報修正処理部１８が、変更された注文者情報で、アフィリエイトコンテンツへ入力された情報を更新する。
【０１０５】
このように商品の注文者情報の変更の有無を監視することで、商品販売サーバ１の負荷を減らすことが出来る。
【０１０６】
なお、虚偽情報判定部１７および情報修正処理部１８における処理について、上述では、商品の購入確定処理の後であったが、アフィリエイトコンテンツへの情報の入力と、商品の注文者情報が入力された後であれば、如何なるタイミングであっても良く、上記タイミングに限定されるものではない。
【実施例４】
【０１０７】
また、上述の各実施例において、出稿主は、アフィリエイトコンテンツの出稿期間として１週間、１ヶ月といったように、一定期間を指定するが、その期間内においてさらに、無制限となるのではなく、予算の上限金額が設定されていることが一般的である。たとえば期間１ヶ月、上限１０万円の予算で出稿するなどがある。これは、出稿期間は１ヶ月間であるが、１０万円の予算（ユーザに対して提供する割引額の合計額）を超過した場合には期間内であっても出稿を停止する処理を商品販売サーバ１の合計金額確認画面生成部１４は行うことを意味する。すなわち、合計金額確認画面生成部１４が合計金額確認画面で表示するアフィリエイトコンテンツを選択する場合に、出稿期間内であってかつ予算の上限に達していないコンテンツをコンテンツデータベース１６から抽出することとなる。なお、出稿期間内であってかつ予算の上限に達していないコンテンツであるか否かは、コンテンツデータベース１６において、コンテンツ毎に出稿可能なコンテンツであるかを示すフラグが付されることで判定可能としても良い。
【０１０８】
このように、出稿主はアフィリエイトコンテンツを出稿するにあたり、期間および予算を指定するので、出稿期間として指定する期間が短期間にならざるを得ない。なぜならば仮に期間を長期にしても、予算は順次使われていくので、予算が十分にある場合は格別、期間の満了を待たずに予算を費消してしまう可能性が高いからである。
【０１０９】
一方、商品販売システムの運営会社としては長期間の出稿を出稿主から確保することが求められている。そこで本実施例においては、期間をあらかじめ所定単位毎に区切り、その所定単位毎の上限予算を設定可能とすることで、長期間の出稿期間を確保することが可能な商品販売システムとする。
【０１１０】
本実施例における商品販売システムのハードウェア構成及び商品販売システムが用いられるシステムの全体構成を示す構成図を、図９に示す。なお本実施例における商品販売システムは、上述の各実施例の場合に適用することが出来るが、以下の説明では実施例１に適用した場合を説明する。
【０１１１】
また、コンテンツデータベース１６には、合計金額確認画面に表示可能なコンテンツであるかを示すフラグがコンテンツ毎に記憶されている。従って、合計金額確認画面生成部１４は、合計金額確認画面の生成の際に、このフラグがあるコンテンツを抽出することとなる。
【０１１２】
出稿管理部１９は、出稿入力者端末４から、コンテンツ毎に出稿条件（出稿期間、予算、区切り期間）の入力を受け付け、それを所定の記憶領域に記憶させる。たとえばコンテンツに対応づけてコンテンツデータベース１６に記憶させる。ここで出稿期間とは出稿者と商品販売システムの運営会社とのアフィリエイトコンテンツを出稿する際の契約期間、区切り期間とは契約期間を所定の範囲（たとえば１週間、２週間、１ヶ月など）で区切った期間を指す。なお予算は、契約期間にわたる予算であっても良いし、区切り期間毎の予算であっても良い。前者の場合、契約期間にわたる予算に基づき、区切り期間毎の予算も算出する。この算出にあたっては、全期間に対する予算を区切り期間によって除することによって、各区切り期間毎に平均的に予算を割り当てることができる。また、特定の区切り期間だけ予算を多くする、少なくするといったように調整してもよい。
【０１１３】
たとえば出稿期間が１年、予算が１２０万円、区切り期間が１ヶ月の時、各区切り期間の予算は１０万円として算出できる。
【０１１４】
なお、区切り期間内にその期間内の予算を消費しきれなかった場合、次の区切り期間に繰り越す、あるいは残りの総予算を、残りの区切り期間で再度、除することで、各区切り期間毎の予算を再度、平均化しても良い。
【０１１５】
上述のようにコンテンツデータベース１６では、合計金額確認画面に表示するアフィリエイトコンテンツと、抽出対象であるかを示すフラグとを記憶している。
【０１１６】
アフィリエイトコンテンツが指定され、それにより割引が発生すると、予算に対する実行額（実行額の情報も予算に対応づけて記憶している）の情報が加算されていき、区切り期間毎の実行額が区切り期間毎の予算以上になった場合、出稿管理部１９は、コンテンツデータベース１６における当該コンテンツのフラグを抽出対象から抽出非対象に変更する。これによって、当該コンテンツは合計金額確認画面のアフィリエイトコンテンツの抽出対象から除外される。
【０１１７】
一方、区切り期間を経過すると、出稿管理部１９は、区切り期間毎の実行額を０に戻す。これによって抽出非対象であったコンテンツのフラグを、抽出対象に変更して更新する。これによって、新たな区切り期間が始まると、抽出対象のコンテンツとすることができる。
【０１１８】
このような処理を行うことで、長期間の出稿期間の契約であったとしても、予算を早い段階で費消することなく、平均化してコンテンツを出稿することが可能になる。そのため、商品販売システムの運営会社は、長期間の契約を獲得することも出来る。
【産業上の利用可能性】
【０１１９】
本発明は、ユーザが商品を仮想ショッピングカートに入れながら商品を購入可能な商品販売サイトで利用することができる。
【符号の説明】
【０１２０】
１：商品販売サーバ
２：インターネット
３：ユーザ端末
４：出稿入力者端末
１１：商品情報画面送信部
１２：カート内容画面生成部
１３：ユーザ照合部
１４：合計金額確認画面生成部
１５：ユーザ情報データベース
１６：コンテンツデータベース
１７：虚偽情報判定部
１８：情報修正処理部
１９：出稿管理部
【図１】
0005844600.tif 000002
【図２】
0005844600.tif 000003
【図３】
0005844600.tif 000004
【図４】
0005844600.tif 000005
【図５】
0005844600.tif 000006
【図６】
0005844600.tif 000007
【図７】
0005844600.tif 000008
【図８】
0005844600.tif 000009
【図９】
0005844600.tif 000010